(57)【要約】      （修正有）【課題】権利者の権利保護と利用者の利便性を両立させることのできるコンテンツ管理システムを提供する。【解決手段】再生装置２は、自らの装置を識別するための再生装置識別符号を、認証サーバ装置４に送信する。認証サーバ装置４は、当該再生装置識別符号を含む認証用データを生成して、再生装置２に送信する。再生装置２は、受信した認証用データに基づいて、コンテンツを表示するための表示部に認証用表示を行う。携帯端末装置６は、再生装置２において表示された認証用表示を撮像して認証用データを得て、自らが保持している権利データを付加して認証要求を、認証サーバ装置４に送信する。認証サーバ装置４は、認証要求に含まれる権利データが正当であるか否かを判断し、正当であれば、認証要求に含まれる再生装置識別符号に基づいて再生装置を特定し、当該再生装置に対して、再生可能化データを送信する。【選択図】図１
2009259118.tif 000002
【特許請求の範囲】
【請求項１】
認証サーバ装置と、前記認証サーバ装置と通信可能な再生装置と、前記認証サーバ装置と通信可能な携帯端末装置とを備えたコンテンツ管理方法であって、
前記再生装置は、前記認証サーバ装置に対して、当該再生装置を識別するための再生装置識別符号を送信し、
前記認証サーバ装置は、前記再生装置より送信されてきた再生装置識別符号を受信し、当該再生装置識別符号を含む認証用データを生成して当該再生装置に送信し、
前記再生装置は、受信した前記認証用データに基づき、コンテンツを表示するための表示部において、認証用表示を表示し、
前記携帯端末装置は、前記再生装置において表示された認証用表示を撮像して認証用データを取得するとともに、コンテンツの権利データと当該認証用データに含まれる再生装置識別符号を含む認証要求を前記認証サーバ装置に送信し、
前記認証サーバ装置は、受信した認証要求に含まれる権利データが正当であるか否かを判断し、正当であれば、認証要求に含まれる再生装置識別符号に基づいて前記再生装置を特定し、当該再生装置に対して再生可能化データを送信し、
前記再生装置は、受信した再生可能化データに基づいて、コンテンツの再生を行うこと
を特徴とするコンテンツ管理方法。
【請求項２】
認証サーバ装置と、前記認証サーバ装置と通信可能な再生装置と、前記認証サーバ装置と通信可能な携帯端末装置とを備えたコンテンツ管理システムであって、
前記再生装置は、
前記認証サーバとの通信を行う通信部と、
コンテンツ、認証用表示を画面上に表示するための表示部と、
当該再生装置を識別するための再生装置識別符号を、前記通信部により、前記認証サーバに送信する識別符号送信処理手段と、
前記通信部により、前記認証サーバから認証用データを受信し、これに基づいて認証用表示を表示部に表示する認証用表示処理手段と、
前記通信部により前記認証サーバから受信した再生可能化データに基づいて、コンテンツを表示部に再生する再生処理手段と、
を備え、
前記認証サーバ装置は、
前記再生装置、前記携帯端末装置との通信を行う通信部と、
前記再生装置から送信されてきた再生装置識別符号を含む認証用データを生成する認証用データ生成処理手段と、
前記認証用データを、前記通信部により、前記再生装置に送信する認証用データ送信処理手段と、
前記通信部により、前記携帯端末装置から認証要求を受信し、当該認証要求に含まれる権利データに基づいて、当該権利データが正当なものであるか否かを判断する認証処理手段と、
認証処理手段によって権利データが正当であると判断されると、前記認証要求に含まれる再生装置識別符号に基づいて再生装置を特定し、当該再生装置に対して、通信部によって、再生可能化データを送信する再生可能化データ送信処理手段と、
を備え、
前記携帯端末装置は、
前記サーバ装置との通信を行う通信部と、
権利データを記録するための記録部と、
前記再生装置の表示部に表示された認証用表示を撮像する撮像部と、
撮像された認証用表示に基づいて得られた認証用データと記録部に記録されている権利データとを含む認証要求を、通信部によって、前記サーバ装置に送信する認証要求送信処理手段と、
を備えたことを特徴とするコンテンツ管理システム。
【請求項３】
認証サーバ装置と通信可能な再生装置であって、
前記認証サーバとの通信を行う通信部と、
コンテンツを出力するための出力部と、
当該再生装置を識別するための再生装置識別符号を、前記通信部により、前記認証サーバに送信する識別符号送信処理手段と、
前記通信部により、前記認証サーバから認証用データを受信し、前記コンテンツを出力するための出力部から、認証用出力を出力する認証用出力処理手段と、
前記通信部により前記認証サーバから受信した再生可能化データに基づいて、コンテンツを出力部において再生する再生処理手段と、
を備えた再生装置。
【請求項４】
再生装置および携帯端末装置と通信可能な認証サーバ装置であって、
前記再生装置、前記携帯端末装置との通信を行う通信部と、
前記再生装置から送信されてきた再生装置識別符号を含む認証用データを生成する認証用データ生成処理手段と、
前記認証用データを、前記通信部により、前記再生装置に送信する認証用データ送信処理手段と、
前記通信部により、前記携帯端末装置から認証要求を受信し、当該認証要求に含まれる権利データに基づいて、当該権利データが正当なものであるか否かを判断する認証処理手段と、
認証処理手段によって権利データが正当であると判断されると、前記認証要求に含まれる再生装置識別符号に基づいて再生装置を特定し、当該再生装置に対して、通信部によって、再生可能化データを送信する再生可能化データ送信処理手段と、
を備えた認証サーバ装置。
【請求項５】
認証サーバ装置と通信可能な携帯端末装置であって、
前記認証サーバ装置との通信を行う通信部と、
権利データを記録するための記録部と、
前記再生装置の出力部から出力された認証用出力を取得する取得部と、
取得された認証用出力に基づいて得られた認証用データと記録部に記録されている権利データとを含む認証要求を、通信部によって、前記認証サーバ装置に送信する認証要求送信処理手段と、
を備えた携帯端末装置。
【請求項６】
請求項３〜５のいずれかの装置において、
前記再生装置の出力部は、表示部を備えており、
前記認証サーバ装置が前記再生装置に送信する前記認証用データは、前記再生装置の前記表示部にて表示される認証用表示データそのもの、あるいは、前記再生装置の前記表示部にて表示される認証用表示データを生成するためのデータであり、
前記携帯端末装置の前記取得部は、前記再生装置の表示部に表示された認証用表示を撮像する撮像部であること
を特徴とする装置。
【請求項７】
請求項３〜５のいずれかの装置において、
前記再生装置の出力部は、音声出力部を備えており、
前記認証サーバ装置が前記再生装置に送信する前記認証用データは、前記再生装置の前記音声出力部から出力される認証用音声データそのもの、あるいは、前記再生装置の前記音声出力部から出力される認証用音声データを生成するためのデータであり、
前記携帯端末装置の前記取得部は、前記再生装置の音声出力部から出力された認証用音声を取得するマイク部であること
を特徴とする装置。
【請求項８】
請求項２〜６のいずれかのシステムまたは装置において、
前記再生装置は、前記認証サーバに対して、通信部により、再生可能化データ確認要求を送信する確認要求送信処理手段をさらに備え、
前記認証サーバ装置の再生可能化データ送信処理手段は、条件を満たす場合、当該確認要求に応じて、再生可能化データを前記再生装置に送信すること、
を特徴とするシステムまたは装置。
【請求項９】
請求項２〜６、８のいずれかのシステムまたは装置において、
前記携帯端末装置の前記認証要求送信処理手段は、記録部に記録されている各コンテンツの権利データのうち、ユーザの選択したコンテンツの権利データを選択し、認証要求に含めて認証サーバに送信し、
前記認証サーバの前記再生可能化データ送信処理手段は、再生可能化データを送信する際に、ユーザによって選択されたコンテンツを特定するコンテンツ特定情報も送信し、
前記再生装置の前記再生処理手段は、前記コンテンツ特定情報に基づいてコンテンツを特定し、再生することを特徴とするシステムまたは装置。
【請求項１０】
請求項９のシステムまたは装置において、
前記再生装置の前記再生処理手段は、記録部に記録されている複数のコンテンツのうち、認証サーバ装置から送信されてきたコンテンツ特定情報に基づいて、前記ユーザによって選択されたコンテンツを特定し、再生することを特徴とするシステムまたは装置。
【請求項１１】
請求項９のシステムまたは装置において、
前記再生装置の前記再生処理手段は、認証サーバ装置から送信されてきたコンテンツ特定情報に含まれる、あるいはコンテンツ特定情報とともに送信されてきたアドレスに基づいて、当該コンテンツを配信するコンテンツサーバ装置にアクセスし、当該コンテンツを受信して再生することを特徴とするシステムまたは装置。
【請求項１２】
請求項２〜６、８のいずれかのシステムまたは装置において、
前記携帯端末装置の前記認証要求送信処理手段は、
コンテンツ一覧からユーザが選択したコンテンツについて、権利データが記録されているか否かを判断し、権利データが記録部に記録されていれば、当該権利データを認証サーバ装置に送信し、権利データが記録部に記録されていなければ、権利購入サーバ装置にアクセスし、
前記認証サーバの前記再生可能化データ送信処理手段は、再生可能化データを送信する際に、ユーザによって選択されたコンテンツを特定するコンテンツ特定情報も送信し、
前記再生装置の前記再生処理手段は、前記コンテンツ特定情報に基づいてコンテンツを特定し、再生することを特徴とするシステムまたは装置。
【請求項１３】
請求項２〜６、８のいずれかのシステムまたは装置において、
前記認証サーバ装置の認証用データ生成処理手段は、コンテンツ特定情報を含めて認証用データを生成し、
前記携帯端末装置の前記認証要求送信処理手段は、認証用データに含まれるコンテンツ特定情報に対応する権利データを、認証要求に含めて認証サーバに送信すること
を特徴とするシステムまたは装置。
【請求項１４】
請求項１３のシステムまたは装置において、
前記携帯端末装置の前記認証要求送信処理手段は、認証用データに含まれるコンテンツ特定情報に対応する権利データが、記録部に記録されていない場合には、権利購入サーバ装置にアクセスすること
を特徴とするシステムまたは装置。
【請求項１５】
請求項１２または１４のシステムまたは装置において、
前記認証サーバ装置の認証用データ送信処理手段は、再生装置識別符号および権利購入サーバ装置のアドレスを含む認証用データを、再生装置に送信し、
前記携帯端末装置の前記認証要求送信処理手段は、ユーザの選択したコンテンツに対応する権利データが記録部に記録されていない場合には、認証用データに含まれるアドレスに基づいて、権利購入サーバ装置にアクセスすることを特徴とするシステムまたは装置。
【請求項１６】
請求項２〜６、８〜１５のいずれかのシステムまたは装置において、
前記認証サーバの認証用データ生成処理手段は、有効期限を含めて認証用データを生成し、
前記認証サーバの前記再生可能化データ送信手段は、携帯端末装置から認証要求に含まれる認証用データを受信した際に、当該認証用データに含められた有効期限内であるか否かを判断し、有効期限内でなければ、再生装置に対して再生可能化データを送信しないこと
を特徴とするシステムまたは装置。
【請求項１７】
請求項２〜１６のいずれかのシステムまたは装置において、
前記認証サーバ装置は、各ユーザ毎の権利データを記録する記録部を備えており、
前記認証サーバ装置の前記認証処理手段は、前記携帯端末装置から送られてくる前記認証要求に含まれる権利データが、前記記録部に記録されている権利データと合致するかどうかを権利認証の判断に含めること
を特徴とするシステムまたは装置。
【請求項１８】
請求項１６のシステムまたは装置において、
前記認証サーバの前記認証用データ生成手段は、前記再生装置から受信した再生装置識別符号を前記記録部に記録し、
前記認証処理手段は、前記認証要求に含まれる再生装置識別符号が、前記記録部に記録されている再生装置識別符号と合致するかどうかを権利認証の判断に含めること
を特徴とするシステムまたは装置。
【請求項１９】
請求項２〜６、８〜１８のいずれかのシステムまたは装置において、
前記再生装置の認証用表示処理手段は、認証サーバ装置から送られてきた認証用データに基づいて、２次元バーコードの表示データを生成し、当該２次元バーコードを表示することを特徴とするシステムまたは装置。
【請求項２０】
請求項２〜１９のいずれかのシステムまたは装置において、
前記コンテンツは暗号化されており、
再生可能化データは、当該コンテンツの暗号を解いて、コンテンツを復号化するための復号化キーであること
を特徴とするシステムまたは装置。
【請求項２１】
通信部と表示部を有し、認証サーバ装置と通信可能な再生装置をコンピュータによって実現するための再生プログラムであって、
当該再生装置を識別するための再生装置識別符号を、前記通信部により、前記認証サーバに送信する識別符号送信処理手段と、
前記通信部により、前記認証サーバから認証用データを受信し、表示部に表示する認証用表示処理手段と、
前記通信部により前記認証サーバから受信した再生可能化データに基づいて、コンテンツを表示部に再生する再生処理手段と、
をコンピュータによって実現するための再生プログラム。
【請求項２２】
通信部を有し、再生装置および携帯端末装置と通信可能な認証サーバ装置をコンピュータによって実現するための認証サーバプログラムであって、
前記再生装置から送信されてきた再生装置識別符号を含む認証用データを生成する認証用データ生成処理手段と、
前記認証用データを、前記通信部により、前記再生装置に送信する認証用データ送信処理手段と、
前記通信部により、前記携帯端末装置から認証要求を受信し、当該認証要求に含まれる権利データに基づいて、当該権利データが正当なものであるか否かを判断する認証処理手段と、
認証処理手段によって権利データが正当であると判断されると、前記認証要求に含まれる再生装置識別符号に基づいて再生装置を特定し、当該再生装置に対して、通信部によって、再生可能化データを送信する再生可能化データ送信処理手段と、
をコンピュータによって実現するための認証サーバプログラム。
【請求項２３】
通信部と記録部と撮像部を有し、認証サーバ装置と通信可能な携帯端末装置をコンピュータによって実現するための携帯端末プログラムであって、
撮像部によって画像として表示されている認証用表示を撮像する撮像処理手段と、
撮像された認証用表示に基づいて得られた認証用データと記録部に記録されている権利データとを含む認証要求を、通信部によって、前記認証サーバ装置に送信する認証要求送信処理手段と、
をコンピュータによって実現するための携帯端末プログラム。
【発明の詳細な説明】
【発明の技術分野】
【０００１】
この発明は、権利データを有するユーザが再生装置の近傍にいる場合に限ってコンテンツの再生を許可するシステムに関するものである。
【背景技術】
【０００２】
音楽や映像のコンテンツは、記録媒体を介してあるいはインターネットなどを介して、広くユーザに提供されている。このようなコンテンツを提供するシステムにおいては、相反する２つの要請がある。一つは、著作権者の権利を無視して、違法にコンテンツが複製されたり、それが配布されたりすることを防止しなければならない。一方で、これを達成するためのシステムがあまりにも硬直的であると、著作権者の権利は保護されるにしても、ユーザの利便性が失われ、コンテンツの流通が妨げられるという問題がある。このような事態は、コンテンツ流通市場の不振をもたらし、結局のところ、著作権者に対するライセンス収入の減少とう形で跳ね返ってくる。
【０００３】
したがって、著作権者、ユーザの利益を考慮し、著作者の権利に配慮しつつ、コンテンツ流通の利便性を達成できるシステムが望まれている。
【０００４】
発明者らは、かかる観点から、このような要望を満足することのできるコンテンツ管理システムを既に提案している（特許文献１）。このシステムでは、携帯電話などにコンテンツの権利データを記録しておき、当該携帯電話が再生装置の近傍にある場合にのみ、再生装置でのコンテンツ再生を許可するようにしている。これにより、権利データを有しているユーザでなければコンテンツを再生することができないので、不正にコピーされたコンテンツが実質的に利用できないようにして権利者の権利を保護することができる。同時に、権利データを有しているユーザにとっては、権利データを有していれば、いずれの再生装置であってもコンテンツを再生することができ、利便性を高めることができる。
【０００５】
【特許文献１】ＷＯ２００７／１１６９２９
【発明の開示】
【発明が解決しようとする課題】
【０００６】
上記の従来技術によれば、権利者の権利保護と利用者の利便性を両立させ、コンテンツの流通を促進することができるが、以下のような問題点もあった。すなわち、上記従来システムでは、再生装置の近傍に権利データを有する携帯電話などが存在することを確認するため、再生装置と携帯電話との間で権利データを確認するための通信を行う必要があった。しかも、この通信は、再生装置の近傍に携帯電話が存在することを確認するためのものであるため、通信距離の限定された近距離通信方式（たとえば電磁結合通信など）を用いる必要があった。
【０００７】
携帯電話の側においては、かかる近距離通信機器を備えたものが標準化されつつあるが、再生装置の側においては、このような近距離通信機器が標準化されて備えられているという状況には至っていない。
【０００８】
したがって、従来のコンテンツ管理システムは、上記のような有用性が認められるにもかかわらず、近距離通信機能を持たない再生装置には適用できないという問題があった。
【０００９】
この発明は、上記のような問題点を解決して、近距離通信機能を持たない再生装置であっても、権利者の権利保護と利用者の利便性を両立させることのできるコンテンツ管理システムを提供することを目的とする。
【課題を解決するための手段】
【００１０】
この発明に係るコンテンツ管理システムの独立したいくつかの側面を以下に示す。
【００１１】
(1)この発明に係るコンテンツ管理方法は、認証サーバ装置と、前記認証サーバ装置と通信可能な再生装置と、前記認証サーバ装置と通信可能な携帯端末装置とを備えたコンテンツ管理方法であって、
前記再生装置は、前記認証サーバ装置に対して、当該再生装置を識別するための再生装置識別符号を送信し、
前記認証サーバ装置は、前記再生装置より送信されてきた再生装置識別符号を受信し、当該再生装置識別符号を含む認証用データを生成して当該再生装置に送信し、
前記再生装置は、受信した前記認証用データに基づき、コンテンツを表示するための表示部において、認証用表示を表示し、
前記携帯端末装置は、前記再生装置において表示された認証用表示を撮像して認証用データを取得するとともに、コンテンツの権利データと当該認証用データに含まれる再生装置識別符号を含む認証要求を前記認証サーバ装置に送信し、
前記認証サーバ装置は、受信した認証要求に含まれる権利データが正当であるか否かを判断し、正当であれば、認証要求に含まれる再生装置識別符号に基づいて前記再生装置を特定し、当該再生装置に対して再生可能化データを送信し、
前記再生装置は、受信した再生可能化データに基づいて、コンテンツの再生を行うことを特徴としている。
【００１２】
(2)この発明に係るコンテンツ管理システムは、認証サーバ装置と、前記認証サーバ装置と通信可能な再生装置と、前記認証サーバ装置と通信可能な携帯端末装置とを備えたコンテンツ管理システムであって、
前記再生装置は、前記認証サーバとの通信を行う通信部と、コンテンツ、認証用表示を画面上に表示するための表示部と、当該再生装置を識別するための再生装置識別符号を、前記通信部により、前記認証サーバに送信する識別符号送信処理手段と、前記通信部により、前記認証サーバから認証用データを受信し、これに基づいて認証用表示を表示部に表示する認証用表示処理手段と、前記通信部により前記認証サーバから受信した再生可能化データに基づいて、コンテンツを表示部に再生する再生処理手段とを備え、
前記認証サーバ装置は、前記再生装置、前記携帯端末装置との通信を行う通信部と、前記再生装置から送信されてきた再生装置識別符号を含む認証用データを生成する認証用データ生成処理手段と、前記認証用データを、前記通信部により、前記再生装置に送信する認証用データ送信処理手段と、前記通信部により、前記携帯端末装置から認証要求を受信し、当該認証要求に含まれる権利データに基づいて、当該権利データが正当なものであるか否かを判断する認証処理手段と、認証処理手段によって権利データが正当であると判断されると、前記認証要求に含まれる再生装置識別符号に基づいて再生装置を特定し、当該再生装置に対して、通信部によって、再生可能化データを送信する再生可能化データ送信処理手段とを備え、
前記携帯端末装置は、前記サーバ装置との通信を行う通信部と、権利データを記録するための記録部と、前記再生装置の表示部に表示された認証用表示を撮像する撮像部と、撮像された認証用表示に基づいて得られた認証用データと記録部に記録されている権利データとを含む認証要求を、通信部によって、前記サーバ装置に送信する認証要求送信処理手段とを備えたことを特徴としている。
【００１３】
したがって、再生装置にコンテンツを表示するための表示部があれば、認証のための特別な通信部などを設ける必要がなく、認証を実現することができる。
【００１４】
(3)この発明に係る再生装置は、認証サーバ装置と通信可能な再生装置であって、前記認証サーバとの通信を行う通信部と、コンテンツを出力するための出力部と、当該再生装置を識別するための再生装置識別符号を、前記通信部により、前記認証サーバに送信する識別符号送信処理手段と、前記通信部により、前記認証サーバから認証用データを受信し、前記コンテンツを出力するための出力部から、認証用出力を出力する認証用出力処理手段と、前記通信部により前記認証サーバから受信した再生可能化データに基づいて、コンテンツを出力部において再生する再生処理手段とを備えている。
【００１５】
したがって、再生装置にコンテンツを出力するための出力部があれば、認証のための特別な通信部などを設ける必要がなく、認証を実現することができる。
【００１６】
(4)この発明に係るサーバ装置は、再生装置および携帯端末装置と通信可能な認証サーバ装置であって、前記再生装置、前記携帯端末装置との通信を行う通信部と、前記再生装置から送信されてきた再生装置識別符号を含む認証用データを生成する認証用データ生成処理手段と、前記認証用データを、前記通信部により、前記再生装置に送信する認証用データ送信処理手段と、前記通信部により、前記携帯端末装置から認証要求を受信し、当該認証要求に含まれる権利データに基づいて、当該権利データが正当なものであるか否かを判断する認証処理手段と、認証処理手段によって権利データが正当であると判断されると、前記認証要求に含まれる再生装置識別符号に基づいて再生装置を特定し、当該再生装置に対して、通信部によって、再生可能化データを送信する再生可能化データ送信処理手段とを備えている。
【００１７】
認証サーバ装置は、再生装置のコンテンツを出力するための出力部から出力可能な認証用データを生成して、再生装置に送信するようにしている。したがって、再生装置にコンテンツを出力するための出力部があれば、認証のための特別な通信部などを設ける必要がなく、認証を実現することができる。
【００１８】
(5)この発明に係る携帯端末装置は、認証サーバ装置と通信可能な携帯端末装置であって、前記認証サーバ装置との通信を行う通信部と、権利データを記録するための記録部と、前記再生装置の出力部から出力された認証用出力を取得する取得部と、取得された認証用出力に基づいて得られた認証用データと記録部に記録されている権利データとを含む認証要求を、通信部によって、前記認証サーバ装置に送信する認証要求送信処理手段とを備えている。
【００１９】
携帯端末装置は、再生装置のコンテンツ出力部から出力された認証用データを取得するようにしている。したがって、再生装置にコンテンツを出力するための出力部があれば、認証のための特別な通信部などを設ける必要がなく、認証を実現することができる。
【００２０】
(6)この発明に係る装置は、再生装置の出力部は、表示部を備えており、認証サーバ装置が前記再生装置に送信する前記認証用データは、前記再生装置の前記表示部にて表示される認証用表示データそのもの、あるいは、前記再生装置の前記表示部にて表示される認証用表示データを生成するためのデータであり、携帯端末装置の前記取得部は、前記再生装置の表示部に表示された認証用表示を撮像する撮像部であることを特徴としている。
【００２１】
したがって、再生装置のコンテンツ表示部を利用して認証のための表示を行うことができ、特別な通信部などを設ける必要がなく、認証を実現することができる。
【００２２】
(7)この発明に係る装置は、再生装置の出力部は、音声出力部を備えており、認証サーバ装置が前記再生装置に送信する前記認証用データは、前記再生装置の前記音声出力部から出力される認証用音声データそのもの、あるいは、前記再生装置の前記音声出力部から出力される認証用音声データを生成するためのデータであり、携帯端末装置の前記取得部は、前記再生装置の音声出力部から出力された認証用音声を取得するマイク部であることを特徴としている。
【００２３】
したがって、再生装置のコンテンツのための音声出力部を利用して認証のための音声出力を行うことができ、特別な通信部などを設ける必要がなく、認証を実現することができる。
【００２４】
(8)この発明に係るコンテンツ管理システムは、再生装置は、前記認証サーバに対して、通信部により、再生可能化データ確認要求を送信する確認要求送信処理手段をさらに備え、認証サーバ装置の再生可能化データ送信処理手段は、条件を満たす場合、当該確認要求に応じて、再生可能化データを前記再生装置に送信することを特徴としている。
【００２５】
したがって、認証サーバ装置から能動的に再生可能化データを送信しなくとも、再生装置からの確認要求に応じて、再生可能化データを送信することができる。
【００２６】
(9)この発明に係るコンテンツ管理システムは、携帯端末装置の前記認証要求送信処理手段は、記録部に記録されている各コンテンツの権利データのうち、ユーザの選択したコンテンツの権利データを選択し、認証要求に含めて認証サーバに送信し、認証サーバの前記再生可能化データ送信処理手段は、再生可能化データを送信する際に、ユーザによって選択されたコンテンツを特定するコンテンツ特定情報も送信し、再生装置の前記再生処理手段は、前記コンテンツ特定情報に基づいてコンテンツを特定し、再生することを特徴としている。
【００２７】
(10)この発明に係るコンテンツ管理システムは、再生装置の前記再生処理手段は、記録部に記録されている複数のコンテンツのうち、認証サーバ装置から送信されてきたコンテンツ特定情報に基づいて、前記ユーザによって選択されたコンテンツを特定し、再生することを特徴としている。
【００２８】
(11)この発明に係るコンテンツ管理システムは、再生装置の前記再生処理手段は、認証サーバ装置から送信されてきたコンテンツ特定情報に含まれる、あるいはコンテンツ特定情報とともに送信されてきたアドレスに基づいて、当該コンテンツを配信するコンテンツサーバ装置にアクセスし、当該コンテンツを受信して再生することを特徴としている。
【００２９】
(12)この発明に係るコンテンツ管理システムは、携帯端末装置の前記認証要求送信処理手段は、コンテンツ一覧からユーザが選択したコンテンツについて、権利データが記録されているか否かを判断し、権利データが記録部に記録されていれば、当該権利データを認証サーバ装置に送信し、権利データが記録部に記録されていなければ、権利購入サーバ装置にアクセスし、認証サーバの前記再生可能化データ送信処理手段は、再生可能化データを送信する際に、ユーザによって選択されたコンテンツを特定するコンテンツ特定情報も送信し、再生装置の前記再生処理手段は、前記コンテンツ特定情報に基づいてコンテンツを特定し、再生することを特徴としている。
【００３０】
(13)この発明に係るコンテンツ管理システムは、認証サーバ装置の認証用データ生成処理手段は、コンテンツ特定情報を含めて認証用データを生成し、携帯端末装置の前記認証要求送信処理手段は、認証用データに含まれるコンテンツ特定情報に対応する権利データを、認証要求に含めて認証サーバに送信することを特徴としている。
【００３１】
(14)この発明に係るコンテンツ管理システムは、携帯端末装置の前記認証要求送信処理手段は、認証用データに含まれるコンテンツ特定情報に対応する権利データが、記録部に記録されていない場合には、権利購入サーバ装置にアクセスすることを特徴としている。
【００３２】
したがって、権利データがない場合には、迅速に購入を促すことができる。
【００３３】
(15)この発明に係るコンテンツ管理システムは、認証サーバ装置の認証用データ送信処理手段は、再生装置識別符号および権利購入サーバ装置のアドレスを含む認証用データを、再生装置に送信し、携帯端末装置の前記認証要求送信処理手段は、ユーザの選択したコンテンツに対応する権利データが記録部に記録されていない場合には、認証用データに含まれるアドレスに基づいて、権利購入サーバ装置にアクセスすることを特徴としている。
【００３４】
したがって、権利データがない場合には、迅速に購入を促すことができる。
【００３５】
(16)この発明に係るコンテンツ管理システムは、認証サーバの認証用データ生成処理手段は、有効期限を含めて認証用データを生成し、認証サーバの前記再生可能化データ送信手段は、携帯端末装置から認証要求に含まれる認証用データを受信した際に、当該認証用データに含められた有効期限内であるか否かを判断し、有効期限内でなければ、再生装置に対して再生可能化データを送信しないことを特徴としている。
【００３６】
したがって、認証用データの有効期限経過後の不正利用を防ぐことができる。
【００３７】
(17)この発明に係るコンテンツ管理システムは、認証サーバ装置は、各ユーザ毎の権利データを記録する記録部を備えており、認証サーバ装置の前記認証処理手段は、前記携帯端末装置から送られてくる前記認証要求に含まれる権利データが、前記記録部に記録されている権利データと合致するかどうかを権利認証の判断に含めることを特徴としている。
【００３８】
したがって、確実な権利認証を行うことができる。
【００３９】
(18)この発明に係るコンテンツ管理システムは、認証サーバの前記認証用データ生成手段は、前記再生装置から受信した再生装置識別符号を前記記録部に記録し、認証処理手段は、前記認証要求に含まれる再生装置識別符号が、前記記録部に記録されている再生装置識別符号と合致するかどうかを権利認証の判断に含めることを特徴としている。
【００４０】
したがって、認証サーバが認識していない再生装置での不正な再生を防止することができる。
【００４１】
(19)この発明に係るコンテンツ管理システムは、再生装置の認証用表示処理手段は、認証サーバ装置から送られてきた認証用データに基づいて、２次元バーコードの表示データを生成し、当該２次元バーコードを表示することを特徴としている。
【００４２】
したがって、認証サーバ装置の処理負荷を軽減するとともに、認証サーバ装置から再生装置に送信するデータ量を減らすことができる。
【００４３】
(20)この発明に係るコンテンツ管理システムは、コンテンツは暗号化されており、再生可能化データは、当該コンテンツの暗号を解いて、コンテンツを復号化するための復号化キーであることを特徴としている。
【００４４】
この発明において、「コンテンツ」とは、人間が知覚可能な状態に提示される画像（静止画、動画など）、文字、音声などまたはそのデータを含む概念である。
【００４５】
「認証用データ」とは、本システムにおける認証処理のために、再生装置において出力される認証用出力データそのもの、または当該認証用出力データに含まれるべき認証内容を示すデータをいう。
【００４６】
「認証用出力」とは、ＱＲコード（２次元バーコード）、バーコードや文字など画像として表示される認証用表示だけでなく、音として出力される認証用音声を含む概念である。
【００４７】
「権利データ」とは、少なくとも、コンテンツを特定するための情報とユーザを特定するための情報（ユーザＩＤやユーザの使用する機器のＩＤなど）を含んでおり、当該ユーザが当該コンテンツに対して権利を有することを示すためのデータである。
【００４８】
「再生可能化データ」とは、再生装置におけるコンテンツの再生を可能とするデータであり、単なる再生許可指令だけでなく暗号化されたコンテンツを復号するための復号化キーなども含む概念である。
【００４９】
「再生装置」とは、インターネットなどで少なくとも認証サーバ装置と通信可能であり、コンテンツの再生を行うことの可能な装置をいい、パーソナルコンピュータ（ＰＣ）、音楽再生装置、テレビなどがこれに該当する。
【００５０】
「携帯端末装置」とは、インターネットなどで少なくとも権利認証サーバ装置と通信可能であり、権利データが記録可能に構成された可搬性のある装置をいい、携帯電話、携帯端末（ＰＤＡ）、携帯音楽再生装置などがこれに該当する。
【００５１】
「識別符号送信処理手段」は、実施形態においては、図１１ａのステップＳ２１がこれに対応する。
【００５２】
「認証用表示（出力）データ処理手段」は、実施形態においては、図１１ａのステップＳ２２がこれに対応する。
【００５３】
「再生処理手段」は、実施形態においては、図１１ｂのステップＳ２６がこれに対応する。
【００５４】
「認証用表示（出力）データ生成処理手段」は、実施形態においては、図１１ａのステップＳ４４がこれに対応する。
【００５５】
「認証用表示（出力）データ送信処理手段」は、実施形態においては、図１１ａのステップＳ４５がこれに対応する。
【００５６】
「認証処理手段」は、実施形態においては、図１１ａのステップＳ４６がこれに対応する。
【００５７】
「再生可能化データ送信処理手段」は、実施形態においては、図１１ａのステップＳ４７がこれに対応する。
【００５８】
「認証要求送信処理手段」は、実施形態においては、図１１ａのステップＳ２３がこれに対応する。
【００５９】
「プログラム」とは、ＣＰＵにより直接実行可能なプログラムだけでなく、ソース形式のプログラム、圧縮処理がされたプログラム、暗号化されたプログラム等を含む概念である。
【発明を実施するための形態】
【００６０】
１．全体的構成
図１に、この発明の一実施形態によるコンテンツ管理システムの全体構成を示す。このシステムは、コンテンツを再生するための再生装置２（パーソナルコンピュータ、テレビ、オーディオ機器など）、権利認証などを行うための認証サーバ装置４、権利データを記録するための携帯端末装置６（携帯電話など）を有している。
【００６１】
再生装置２には、コンテンツデータが記録されている。あるいは、再生装置２は、コンテンツサーバ装置（図示せず）からコンテンツデータの配信を受けることができるよう構成されている。携帯端末装置６には、当該コンテンツデータの権利データが記録されている。この権利データは、後述のように、当該コンテンツを利用したいと考えるユーザが、インターネットなどを介して購入し、携帯端末装置６に記録させたものである。認証サーバ４は、インターネットなどを介して、再生装置２および携帯端末装置６と通信可能に構成されている。認証サーバ４は、以下に述べる処理を行うことにより、再生装置２の近傍に、権利データを保持する携帯端末装置６が存在すると考えられる場合に、再生装置２に対してコンテンツの再生を許可するものである。
【００６２】
このシステムにおけるコンテンツ再生の処理は以下のとおりである。(1)まず、再生装置２は、自らの装置を識別するための再生装置識別符号を、認証サーバ装置４に送信する。(2)これを受けた認証サーバ装置４は、当該再生装置識別符号を含む認証用データを生成して、再生装置２に送信する。(3)再生装置２は、受信した認証用データを、コンテンツを表示するための表示部に表示する。
【００６３】
(4)携帯端末装置６は、認証用データに基づいて再生装置２において表示された認証用表示を撮像して取り込む。(5)携帯端末装置６は、認証用表示の撮像によって得た認証用データと自らが保持している権利データとを含む認証要求を、認証サーバ装置４に送信する。
【００６４】
(6)認証サーバ装置４は、認証要求に含まれる権利データが正当であるか否かを判断する。(7)正当な権利データであることが認証できると、認証サーバ装置４は、認証要求に含まれる再生装置識別符号に基づいて再生装置を特定し、当該再生装置に対して、再生可能化データを送信する。なお、正当な権利データであることが確認できなければ、再生可能化データは送信されない。
【００６５】
(8)再生装置２は、受信した再生可能化データを用いてコンテンツを再生し、表示部において表示する。
【００６６】
以上のような仕組みにてコンテンツ再生を行うようにしているので、権利データを有する携帯端末装置６が再生装置２の近傍にあると認められる場合でなければ、コンテンツの再生がなされないようにすることができる。また、正当な権利データを有するユーザであれば、携帯端末装置６によって認証用表示を撮像するという簡単な操作で、コンテンツ再生を行うことができる。また、権利データの記録された携帯端末装置６を持っていれば、コンテンツを記録している（あるいはアクセス可能な）異なる再生装置２においてもコンテンツの再生を行うことができる。
【００６７】
特に、再生装置２において、認証用表示を、コンテンツ再生のための表示部において表示するようにしているので、特別な通信機能を備えていないような再生装置においても、システムを構築することができる。
【００６８】
図２に、図１のシステムにおける再生装置２、認証サーバ装置４、携帯端末装置６の機能的構成を示す。
【００６９】
再生装置２は、インターネットなどを介して認証サーバ装置４と通信を行うための通信部２１と、再生装置２を特定するための識別符号を送信する識別符号送信処理手段２２と、受信した認証用データに基づく認証用表示を表示部２４において表示する認証用表示処理手段２３と、コンテンツを表示部２４において再生するための再生処理手段２５と、認証用表示やコンテンツを表示するための表示部２４を備えている。
【００７０】
認証サーバ装置４は、受信した再生装置識別符号を含む認証用データを生成する認証用データ生成処理手段４２と、認証用データを再生装置２に送信する処理を行う認証用データ送信処理手段４３と、再生装置２に対して再生可能化データを送信する処理を行う再生可能化データ送信処理手段４４と、携帯端末装置６からの認証要求を受けて認証を行う認証処理手段４５と、インターネットなどを介して再生装置２や携帯端末装置６との通信を行う通信部４６とを備えている。
【００７１】
携帯端末装置６は、インターネットなどを介して認証サーバ装置４と通信を行う通信部６１と、再生装置２の表示部２４に表示された認証用表示を撮像する撮像部６２と、認証サーバ装置４に対して認証要求を送信する処理を行う認証要求送信処理手段６３と、権利データを記録する記録部６４とを備えている。
【００７２】
このシステムにおいて、再生装置においてコンテンツを再生する場合の処理の流れ(1)〜(8)を、上記各手段との関係で再掲すると以下のとおりである。
【００７３】
(1)まず、再生装置２の識別符号送信手段２２は、通信部２１により、自らの装置を識別するための再生装置識別符号を、認証サーバ装置４に送信する。
【００７４】
(2)通信部４６によってこれを受けた認証サーバ装置４の認証用データ生成処理手段４２は、受信した再生装置識別符号を含む認証用データを生成する。認証用データ送信処理手段４３は、前記認証用データを、通信部４６により再生装置２に送信する。
【００７５】
(3)再生装置２の認証用表示処理手段２３は、受信した認証用データに基づいて、コンテンツを表示するための表示部２４において、認証用表示を行う。
【００７６】
(4)携帯端末装置６の撮像部６２は、再生装置２の表示部２４において表示された認証用表示を撮像して取り込む。
【００７７】
(5)携帯端末装置６の認証要求送信処理装置６３は、記録部６４に記録されている権利データと、撮像した認証用表示に基づいて得られた認証用データとを含む認証要求を生成し、認証サーバ装置４に送信する。
【００７８】
(6)認証サーバ装置４の認証処理手段４５は、送られてきた認証要求に含まれる権利データが正当であるか否かを判断する。
【００７９】
(7)認証処理手段４５が正当な権利データであることを認証すると、再生可能化データ送信手段４４は、認証要求に含まれる再生装置識別符号に基づいて再生装置２を特定し、当該再生装置２に対して、再生可能化データを送信する。なお、正当な権利データであることが確認できなければ、再生可能化データは送信されない。
【００８０】
(8)再生装置２の再生処理装置２５は、受信した再生可能化データを用いてコンテンツを再生し、表示部２４において表示する。
【００８１】
２．ハードウエア構成
図２のコンテンツ管理システムのシステム構成例を、図３に示す。この実施形態では、再生装置としてパーソナルコンピュータ（ＰＣ）２を用い、携帯端末装置として携帯電話６を用いている。さらに、コンテンツを販売するコンテンツサーバ装置８が設けられている。図４〜図７に、各装置のハードウエア構成例を示す。
【００８２】
図４は、再生装置であるパーソナルコンピュータ（ＰＣ）２のハードウエア構成である。ＣＰＵ１２４には、表示部であるディスプレイ１２１、スピーカ１２２、通信部である通信回路１２３、記録部であるハードディスク１２５、キーボードやマウスなどの操作部１２６、メモリ１２７、ＣＤ−ＲＯＭドライブ１２８が接続されている。
【００８３】
ハードディスク１２５には、Windows（商標）などのオペレーティングシステム１２５ａ、プレイヤプログラム１２５ｂが記録されている。プレイヤプログラム１２５ｂは、オペレーティングシステム１２５ａと協働して、コンテンツ再生などの制御を行うものである。なお、プレイヤプログラム１２５ｂは、インターネット・エクスプローラ（商標）などのウエブブラウザに、制御プログラムを組み込んだものであってもよい。また、プレイヤプログラム１２５ｂは、オペレーティングシステム１２５ａとは独立に、その機能を発揮するものであってもよい。
【００８４】
これらのオペレーティングシステム１２５ａ、プレイヤプログラム１２５ｂは、ＣＤ−ＲＯＭ１２９等の記録媒体に記録されていたもの（あるいは、通信回路１２３を介してダウンロードしたもの）を、ＣＤ−ＲＯＭドライブ１２８を介して、ハードディスク１２５にインストールしたものである。
【００８５】
図５は、認証サーバ装置４のハードウエア構成である。ＣＰＵ１４２には、通信部である通信回路１４１、記録部であるハードディスク１４３が接続されている。ハードディスク１４３には、Windows（商標）などのオペレーティングシステム１４３ａ、認証サーバプログラム１４３ｂ、権利データ１４３ｃ、再生装置識別符号１４３ｄが記録されている。認証サーバプログラム１４３ｂは、オペレーティングシステム１４３ａと協働して制御を行うものである。なお、認証サーバプログラム１４３ｂは、オペレーティングシステム１４３ａとは独立に、その機能を発揮するものであってもよい。
【００８６】
また、これらのオペレーティングシステム１４３ａ、認証サーバプログラム１４３ｂは、ＣＤ−ＲＯＭ（図示せず）等の記録媒体に記録されていたもの（あるいは、通信回路１４１を介してダウンロードしたもの）を、ＣＤ−ＲＯＭドライブ（図示せず）を介して、ハードディスク１４３にインストールしたものである。
【００８７】
図６は、携帯端末装置である携帯電話６のハードウエア構成である。ＣＰＵ１６５には、ディスプレイ１６１、スピーカ１６２、通信部である通信回路１６３、撮像部であるカメラ１６４、記録部である不揮発性メモリ１６６、キーボタンなどの操作部１６７、マイク１６８が接続されている。なお、携帯電話として必要な通話回路なども備えているが、図においては省略している。
【００８８】
不揮発性メモリ１６６には、TRON（商標）などのオペレーティングシステム１６６ａ、携帯端末プログラム１６６ｂ、ブラウザプログラム１６６ｃが記録されている。携帯端末プログラム１６６ｂやブラウザプログラム１６６ｃは、オペレーティングシステム１６６ａと協働して制御を行うものである。なお、携帯端末プログラム１６６ｂ、ブラウザプログラム１６６ｃは、オペレーティングシステム１６６ａとは独立に、その機能を発揮するものであってもよい。
【００８９】
これらのオペレーティングシステム１６６ａ、携帯端末プログラム１６６ｂ、ブラウザプログラム１６６ｃは、携帯電話製造時に書込装置からインストールしたもの、あるいは、使用時にユーザが通信回路１６３を介してダウンロードして不揮発性メモリ１６６にインストールしたものである。なお、権利データ１６６ｄは、後述の購入処理によって、不揮発性メモリ１６６に蓄積されるデータである。
【００９０】
図７は、コンテンツサーバ装置８のハードウエア構成である。ＣＰＵ１８２には、通信回路１８１、ハードディスク１８３が接続されている。ハードディスク１８３には、Windows（商標）などのオペレーティングシステム１８３ａ、コンテンツサーバプログラム１８３ｂ、コンテンツ１８３ｃが記録されている。コンテンツサーバプログラム１８３ｂは、オペレーティングシステム１８３ａと協働して制御を行うものである。なお、コンテンツサーバプログラム１８３ｂは、オペレーティングシステム１８３ａとは独立に、その機能を発揮するものであってもよい。
【００９１】
また、これらのオペレーティングシステム１８３ａ、認証サーバプログラム１８３ｂは、ＣＤ−ＲＯＭ（図示せず）等の記録媒体に記録されていたもの（あるいは、通信回路１８１を介してダウンロードしたもの）を、ＣＤ−ＲＯＭドライブ（図示せず）を介して、ハードディスク１８３にインストールしたものである。
【００９２】
３．コンテンツ購入処理
このコンテンツ管理システムの処理について、まず、ユーザがコンテンツについての権利データを購入する場面から説明する。
【００９３】
図８に、コンテンツサーバ装置８のコンテンツサーバプログラム１８３ｂ、認証サーバ装置４の認証サーバプログラム１４３ｂ、携帯電話６の携帯端末プログラム１６６ｂのフローチャートを示す。
【００９４】
ユーザが、コンテンツについての権利データを購入する場合には、携帯電話６の操作部１６７を操作して、ブラウザプログラム１６６ｃを立ち上げ、コンテンツサーバ装置８にアクセスする。これにより、携帯電話６は、コンテンツサーバ装置８に対しコンテンツ紹介画面を要求する（ステップＳ６１）。コンテンツサーバ装置８は、この画面要求を受けて、コンテンツ紹介画面を送信する（ステップＳ８１）。携帯電話６は、これに基づいて、ディスプレイ１６１に、図９に示すようなコンテンツ紹介のための画面を表示する（ステップＳ６２）。
【００９５】
ユーザは、操作部１６７を操作して、希望するコンテンツを選択し、購入ボタンを押下する。これにより、携帯電話６は、コンテンツサーバ装置８に対し、選択されたコンテンツＩＤ、ユーザＩＤ（たとえば携帯電話の個体識別情報）を特定して購入申込を送信する（ステップＳ６３）。
【００９６】
コンテンツサーバ装置８は、送られてきた購入申込に基づいて課金処理を行い、購入申込の内容にコンテンツプロバイダＩＤ、購入日時や権利期間、コンテンツ名などを付加して、認証サーバ装置４に転送する（ステップＳ８２）。
【００９７】
コンテンツサーバ装置８から購入申込の転送を受けた認証サーバ装置４は、転送されてきた情報に基づいて権利データ１４３ｃを生成する。図１０ａに、このようにして記録された権利データ１４３ｃの内容を示す。図示していないが、認証サーバ装置４は、個々のコンテンツデータ毎にユニークな認証文字列を別途生成し、これを権利データ１４３ｃの一部に含める。
【００９８】
次に、認証サーバ装置４は、生成した権利データ１４３ｃの全体を認証文字列により暗号化して、ハードディスク１４３に記録する（ステップＳ４１）。認証サーバ装置４は、暗号化した権利データ１４３ｃについて、暗号化されていない（あるいは暗号鍵の分かっている方法により暗号化して）ユーザ名、コンテンツ名、認証文字列を付して記録し、検索が可能なようにしている。このようにして、ハードディスク１４３には、図１０ｂに示すように暗号化された権利データが記録されることになる。
【００９９】
したがって、ユーザが、新たなコンテンツを購入すると、権利データが追加されていくことになる。なお、追加された権利データは、まだ、携帯電話６にダウンロードされていないので、認証サーバ装置４は、この権利データに未送信のフラグ（図示せず）を立てる。ここでは、ユーザＩＤ「UI001531」のユーザが権利データを購入し、図１０ｂの２行目の権利データが追加されたものとする。
【０１００】
一方、購入処理を終了したコンテンツサーバ装置８は、その旨を携帯電話６に送信する（ステップＳ８３）。これを受けて、携帯電話６は、携帯端末プログラム１６６ｂを起動するためのボタンを表示する。ユーザが操作部１６７によって、このボタンを押下すると、携帯端末プログラム１６６ｂが起動される（ステップＳ６４）。なお、携帯電話６は、コンテンツサーバ装置８より購入処理終了の連絡を受けると、自動的に携帯端末プログラム１６６ｂを立ち上げるようにしてもよい。
【０１０１】
これにより、携帯電話６は、認証サーバ装置４に対し、ユーザＩＤを指定して未送信権利データのダウンロードを要求する（ステップＳ６５）。これを受けて、認証サーバ装置４は、当該ユーザＩＤの権利データ中に、未送信権利データがあるかどうかを判断し、あれば、その未送信権利データを携帯電話６に送信する（ステップＳ４２）。ここでは、図１０ｂの２行目の権利データのフラグが未送信となっているので（「１」は未送信）、この権利データが携帯電話６に送信される。
【０１０２】
この権利データを受信した携帯電話６は、不揮発性メモリ１６６に記録する（ステップＳ６６）。したがって、ユーザの携帯電話６には、購入したコンテンツの権利データが全て記録されることになる。携帯電話６に記録された権利データの一覧を図１３に示す。なお、図１３では、明示していないが、これらのデータは認証文字列によって暗号化されているので、ユーザが内容を読み取ることはできない。携帯電話６へのダウンロードが完了すると、フラグは「０」にされる。
【０１０３】
以上のようにして、権利データの購入が行われ、携帯電話６には暗号化された権利データが記録される。
【０１０４】
４．コンテンツ再生処理
コンテンツ再生処理のフローチャートを図１１ａ、図１１ｂに示す。まず、ユーザはＰＣ２の操作部１２６を操作して、プレイヤプログラム１２５ｂを立ち上げる。これにより、ＰＣ２は、予め決められているように、認証サーバ装置４に対して、ＰＣ２を特定するための再生機器識別符号（たとえばＩＰアドレス、ＭＡＣアドレス、製造番号など）を送信する（ステップＳ２１）。
【０１０５】
認証サーバ装置４は、受信した再生機器識別符号をハードディスク４に記録する（ステップＳ４４）。さらに、認証サーバ装置４は、受信した再生機器識別符号、有効期限を含む認証用データを生成し、ハードディスク１４３に記録する（ステップＳ４４）。
【０１０６】
有効期限は、認証サーバ装置４の時計に基づいて、比較的短時間の期限を設定する。有効期限を設定しているのは、権利を有していないユーザが認証用データに基づく認証用表示を撮像し、取得した認証用データを権利を有している他のユーザに転送して、他のユーザの権利を不正に使用することを企てた場合であっても、かかる処理の間に有効期限が切れるようにしたものである。したがって、有効期限は、１０秒から３分程度が好ましい。特に、２０秒から４０秒が好ましい。この実施形態では、後述のように最長３０秒・最短１５秒とした。
【０１０７】
認証サーバ装置４は、認証用データをＰＣ２に送信する（ステップＳ４５）。ＰＣ２は、受信した認証用データに基づいて、有効期限、再生機器識別符号を含む認証用表示データ（ＱＲコードデータ)を生成する（ステップＳ２２）。この認証用表示データに基づいて、認証用表示（ＱＲコード）をディスプレイ１２１に表示する（ステップＳ２３）。認証用データから認証用表示（ＱＲコード）のための画像データを生成する処理は、一般的に用いられている技術を用いることができる。
【０１０８】
この実施形態では、認証サーバ装置４から送信する認証用データは、図１２に示すように切り換えている。ＱＲコード１は、時刻ｔ10に表示が開始され、１５秒後の時刻ｔ20に表示が終了される。１５秒間表示されることになる。ＱＲコード１の有効期限は、その表示終了時刻ｔ20から、１５秒経過後の時刻ｔ30である。これは、時刻ｔ20において撮像したユーザに対する認証処理時間を考慮したものである。
【０１０９】
ＱＲコード２は、ＱＲコード１の表示が終了すると同時に、つまり時刻ｔ20に表示が開始され、１５秒後の時刻ｔ30に表示が終了される。ＱＲコード２の有効期限は、その表示終了時刻ｔ30から、１５秒経過後の時刻ｔ40である。
【０１１０】
以下、同じようにして、１５秒経過毎に異なるＱＲコードが表示されることになる。
【０１１１】
上記と並行して、あるいは上記に先立って、ユーザは、携帯電話６の操作部１６７を操作し、携帯端末プログラム１６６ｂを起動する（ステップＳ６７）。これにより、携帯電話６は、不揮発性メモリ１６６に記録されている権利データ１６６ｄを読み出して、コンテンツ名をディスプレイ１６１に一覧表示する（ステップＳ６８）。ユーザは、操作部１６７を操作し、再生したいコンテンツを選択する。
【０１１２】
なお、ファイル一覧を管理するプログラムによって権利データの一覧を表示し、これに応じてユーザがコンテンツを選択すれば、携帯端末プログラム１６６ｂを立ち上げるようにしてもよい。
【０１１３】
コンテンツの選択がなされると、携帯端末プログラム１６６ｂは、携帯電話６のカメラ１６４による撮像を開始する。ユーザが携帯電話６を適切な方向に向けると、カメラ１６４は、ＰＣ２のディスプレイ１２１に表示されている認証用表示を撮像する（ステップＳ６９）。携帯電話６は、撮像した認証用表示の画像に基づいて、認証用データを復元する（ステップＳ７０）。認証用表示であるＱＲコードから認証用データを得る処理は、一般的に用いられている技術を用いることができる。
【０１１４】
次に、携帯電話６は、認証サーバ装置４に対する認証要求を生成する。認証要求には、取得した認証用データに含まれている再生装置識別符号、認証用データの有効期限、ユーザＩＤ、コンテンツＩＤ、選択されたコンテンツの暗号化権利データ（購入した権利データ）などを含めるようにしている。携帯電話６は、生成した認証要求を、認証サーバ装置４に送信する（ステップＳ７１）。図１４に、認証要求のデータ例を示す。
【０１１５】
認証要求を受けた認証サーバ装置４は、以下の認証を行う（ステップＳ４６）。まず、送られてきた認証要求中のユーザＩＤとコンテンツＩＤに基づいて、ハードディスク１４３の権利データを検索し、対応する認証文字列を取得する（図１０ｂ参照）。得られた認証文字列によって、ハードディスク１４３に記録されている暗号化権利データを復号化する。同様に、認証要求に含まれる暗号化権利データも、認証文字列によって復号化する。
【０１１６】
次に、上記のようにして復号された認証要求中の権利データが、ハードディスク１４３に記録されていた権利データと同じ内容であるかを判断する。両者が合致しなければ、不正な権利データであるから、再生可能化データの送信を行わずに終了する。
【０１１７】
次に、現在の時刻が、認証用データに含まれる有効期限内であるかどうかを判断する。有効期限を過ぎていれば、やはり、不正な再生要求であるとして、再生可能化データの送信を行わずに終了する。
【０１１８】
さらに、送られてきた認証要求中の再生装置識別符号と同じ再生装置識別符号が、ハードディスク１４３に記録されているか否かを判断する。ユーザが正しい処理をしていれば、ステップＳ４４において再生装置識別符号が記録されているはずであるから、これを確認するためである。同じ再生装置識別符号が、ハードディスク１４３に記録されていなければ、登録されていない再生装置での再生が行われようとしているものとして、再生可能化データの送信を行わずに終了する。
【０１１９】
以上の３つの認証が全て満足された場合には、認証サーバ装置４は、ＰＣ２からの認証確認に対して、再生可能化データを送信する。なお、ＰＣ２は、ステップＳ２３において、認証用表示を表示した後は、常に、一定間隔（たとえば５秒ごと）で、認証サーバ装置４に対して、認証が得られたかどうかの確認（認証確認）を送信し続けている。いわゆるポーリング動作を行っている（ステップＳ２４）。
【０１２０】
認証サーバ装置４は、認証条件を満足した時点で、これに対して、再生可能化データを送信する（ステップＳ４７）。
【０１２１】
認証サーバ装置４は、以下のようにして再生可能化データを生成する。認証サーバ装置４のハードディスク１４３には、図１５に示すような対応表が記録されている。この対応表には、コンテンツＩＤと、当該コンテンツを配信しているコンテンツプロバイダのＵＲＬ（つまりコンテンツサーバ装置８のＵＲＬ）と、コンテンツの暗号を解くための暗号鍵とが関連付けて記録されている。認証サーバ装置４は、認証条件を満たすと判断した場合、認証要求に含まれるコンテンツＩＤに基づいて、この関連表から、対応するコンテンツプロバイダのＵＲＬと、暗号鍵を取得する。そして、コンテンツＩＤ、コンテンツプロバイダのＵＲＬ、暗号鍵を含む再生可能化データを生成して、ＰＣ２に送信する。
【０１２２】
これを受けた、ＰＣ２は、コンテンツプロバイダのＵＲＬに基づいて、コンテンツサーバ装置８にアクセスする（ステップＳ２５）。続いて、コンテンツサーバ装置８に対して、コンテンツＩＤを指定して、配信の要求を行う（ステップＳ２６）。
【０１２３】
コンテンツサーバ装置８は、暗号化されたコンテンツを送信する（ステップＳ８４）。ＰＣ２は、送信されてきたコンテンツを暗号鍵によって復号化し、ディスプレイ１２１およびスピーカ１２２から出力する（ステップＳ２７）。なお、コンテンツサーバ装置８からのコンテンツを一旦ハードディスク１２５に記録した後に再生してもよいし、コンテンツサーバ装置８から連続して送られてくるコンテンツを直ちに再生するようにしてもよい。
【０１２４】
上記のように、この実施形態によれば、携帯電話に権利データさえ持っていれば、どの再生装置を用いてもコンテンツの再生が可能である。したがって、たとえば、コンテンツの流通は無料とし、権利データだけを別途販売するなどの方法も採用することができる。また、ストリーミングでコンテンツを配信する場合であっても、ユーザは、どこにある再生装置によってもコンテンツを再生できる。さらに、再生装置や携帯電話に特殊な通信機能を設けることなく、以上の機能を実現することができる。
【０１２５】
５．携帯端末プログラムの取得
上記の説明では、携帯端末プログラム１６６ｂが携帯電話６に既にインストールされているものとして説明した。携帯端末プログラム１６６ｂは、製造時に携帯電話に組み込むことが好ましいが、既に販売済の携帯電話６については、以下に示すように、ダウンロードによって組み込むようにしてもよい。また、携帯端末プログラム１６６ｂのバージョンアップの際にも、ダウンロードが便利である。
【０１２６】
この実施形態では、図１１ａのステップＳ４５において、認証サーバ装置８が送信する認証用データに、図１７に示すような情報を含めている。先頭には、携帯端末プログラム１６６ｂを配布しているサーバ装置の接続情報（ＵＲＬ）が記述されている。これに続いて、パラメータとして認証のためのデータ（再生装置識別符号、有効期限、コンテンツＩＤなど）が記述されている。
【０１２７】
ＰＣ２のディスプレイ１２１においてＱＲコードとして表示されたこの認証用表示を、携帯端末プログラム１６６ｂを起動して撮像した場合には、携帯端末プログラム１６６ｂは、先頭の接続情報を無視し、認証のためのデータを用いて前述のように処理を進める（図１１ａのステップＳ６８以下参照）。
【０１２８】
携帯電話６に携帯端末プログラム１６６ｂがインストールされていない場合には、ユーザは、標準装備されているバーコードリーダ（バーコードを読み取り、当該バーコードに示されたＵＲＬをブラウザに渡すためのプログラム）を起動し、認証用表示を撮像する。バーコードリーダは、先頭のＵＲＬに基づいて、ブラウザプログラムを立ち上げて、当該ＵＲＬへの接続を行う。これにより、携帯電話６を、携帯端末プログラム１６６ｂをダウンロードするためのサーバ装置に接続することができる。後は、そのサーバ装置とのやりとりによって、携帯端末プログラム１６６ｂを携帯電話６にダウンロードする。
【０１２９】
なお、当該サーバ装置が、？以下のパラーメータ中の内容を理解できるように構成されており、パラメータ中にコンテンツＩＤが含まれていれば、当該コンテンツを購入するための画面を直ちに送信することができる。
【０１３０】
上記のようにすれば、同一の認証用表示を用いながら、携帯端末プログラム１６６ｂのダウンロードサイトへの誘導と、携帯端末プログラム１６６ｂによる処理との双方を実現することができる。
【０１３１】
なお、携帯端末プログラム１６６ｂが携帯電話６にインストールされているにもかかわらず、バーコードリーダにて認証用表示を撮像する場合も考えられる。このような場合、以下のようにすることもできる。携帯電話６のバーコードリーダが、自らの携帯電話６に携帯端末プログラム１６６ｂが記録されているかどうかを判断し、記録されていなければ、そのままダウンロードサイトへの接続を行う。一方、バーコードリーダが、携帯端末プログラム１６６ｂがインストール済であると判断すると、携帯端末プログラム１６６ｂを立ち上げて、撮像したデータを携帯端末プログラム１６６ｂに渡す。これにより、携帯端末プログラム１６６ｂによる認証関連処理が実行される。
【０１３２】
６．その他の実施形態
(A)上記実施形態では、携帯電話６のブラウザプログラム１６６ｃと携帯端末プログラム１６６ｂを設けているが、携帯端末プログラム１６６ｂの機能を組み込んだブラウザプログラム１６６ｃを用いるようにしてもよい。この場合、図８のステップＳ６４を除いて、他の処理は同様となる。また、図８に代えて、図１６に示すような処理を行うようにしてもよい。
【０１３３】
ステップＳ８２において購入申込処理を行うと、続いてコンテンツサーバ装置８は、携帯電話６に対して、認証サーバ装置４に接続するように命じる指令（リダイレクト命令）を送信する（ステップＳ８３ａ）。これを受けて、携帯電話６は、認証サーバ装置４にアクセスする（ステップＳ６４ａ）。
【０１３４】
一方、コンテンツサーバ装置８から購入申込の転送を受けた認証サーバ装置４は、転送されてきた情報に基づいて権利データ１４３ｃを生成し、ハードディスク１４３に記録する（ステップＳ４１ａ）。
【０１３５】
次に、認証サーバ装置４は、新たに購入された権利データを携帯電話６に送信する（ステップＳ４２ａ）。携帯電話６は、これを受信して、不揮発性メモリ１６６に記録する（ステップＳ６５ａ）。権利データのダウンロードが完了すると、認証サーバ装置４は、携帯電話６にリダイレクト命令を与え（ステップＳ４３ａ）、携帯電話６は、これを受けて、コンテンツサーバ装置８にアクセス先を変える（ステップＳ６６ａ）。以上のようにして、権利データの購入処理を行うようにしてもよい。
【０１３６】
(B)上記実施形態では、権利データの購入と、コンテンツの再生を分けて説明した。しかし、権利データの購入に引き続いてコンテンツの再生を行ってもよい。この場合には、図８の権利データ購入の時点で既に、携帯端末プログラム１６６ｂが立ち上がっているので、図１１ａのステップＳ６７において、再度携帯端末プログラム１６６ｂを立ち上げる必要はない。また、権利データ購入の際に、コンテンツを選択しているので、ステップＳ６８のコンテンツ選択も行う必要がない。したがって、ユーザは、権利データの購入に引き続いて、認証用表示の撮像を行えばよい（ステップＳ６９）。
【０１３７】
なお、上記処理に関連して、携帯端末プログラム１６６ｂがカメラ１６４による撮像を開始する条件を説明すると以下のとおりである。つまり、携帯端末プログラム１６６ｂは、再生のためにコンテンツがユーザによって選択されたか、あるいは購入のためにコンテンツがユーザによって選択されその権利データがダウンロードされれば、カメラ１６４による撮像を開始させる。
【０１３８】
(C)上記実施形態では、図１１ａのステップＳ６９において、権利データを有するコンテンツのみを表示するようにしている。しかし、当該携帯電話６に権利データが記録されていないコンテンツも表示するようにしてもよい。携帯電話６の携帯端末プログラム１６６ｂは、ユーザが権利データを有するコンテンツを選択した場合には、図１１ａのフローチャートに従って処理を進める。ユーザが権利データのないコンテンツを選択したと判断した場合には、当該コンテンツを販売するコンテンツサーバ装置８に接続する。これにより、ユーザは、図８の処理に従って当該コンテンツの権利を購入することができる。
【０１３９】
なお、権利データを持たないコンテンツのうち、いずれを携帯電話６において表示するかは、次のようにして決定すればよい。たとえば、ステップＳ４４において認証サーバ装置４が発行する認証用データに、表示すべきコンテンツの情報（コンテンツ名など）を含めておき、これにしたがって携帯電話６の携帯端末プログラム１６６ｂがこれを表示する。この方法によれば、認証サーバ装置４の側から、お薦めコンテンツ等をユーザに提示することができる。
【０１４０】
あるいは、携帯電話６の携帯端末プログラム１６６ｂが、自らが権利データを有するコンテンツに関連するコンテンツ情報（コンテンツ名など）を、コンテンツプロバイダなどにアクセスして取得し、これを表示するようにしてもよい。
【０１４１】
(D)図１８に、この発明によるコンテンツ管理システムの応用例を示す。コンテンツサーバ装置８、認証サーバ装置４、再生装置２、携帯端末装置６は、互いにインターネットによって通信可能である。
【０１４２】
(1)ユーザは、再生装置２のプレイヤプログラム１２５ｂを立ち上げ、コンテンツサーバ装置８にアクセスし、サンプルコンテンツ（たとえば動画データ）を試聴する。サンプルコンテンツは暗号化されていない。
【０１４３】
(2)再生開始から所定時間が経過すると、自動的に認証サーバ装置４に接続するように、プレイヤプログラム１２５ｂを構築しておく。なお、この際、プレイヤプログラム１２５ｂは、ユーザが試聴していたコンテンツを特定するコンテンツＩＤ、コンテンツサーバ装置８のＵＲＬおよび再生装置識別符号を、認証サーバ装置４に送信する。またこの際、再生装置２は、コンテンツサーバ装置８と接続はそのまま維持してコンテンツの再生を継続する。
【０１４４】
(3)これを受けて、認証サーバ装置４は、コンテンツＩＤ、ＵＲＬおよび再生装置識別符号を含む認証用データを生成し、再生装置２に送信する。上記実施形態と異なるのは、認証用データに、コンテンツＩＤ、ＵＲＬが含まれている点である。
【０１４５】
(4)再生装置２は、認証用データに基づいて、認証用表示を行う。再生装置２は、表示部において、「権利データの記録されている携帯端末装置によって認証用表示を撮像してください。権利データがない場合には、所定時間後に再生が停止される旨」を表示する。したがって、再生装置２においては、コンテンツの再生が継続されるとともに、認証用表示が表示される。
【０１４６】
(5)ユーザは携帯端末装置６により、この認証用表示を撮像する。
【０１４７】
(6)携帯端末装置６は、認証用表示を撮像して取得した認証用データに含まれるコンテンツＩＤに対応する権利データが、携帯端末装置６に記録されているか否かを判断する。記録されていれば、権利データ、コンテンツＩＤ、ＵＲＬを伴った認証要求を認証サーバ４に対して行う。以後の処理は、前述の実施形態と同じである。したがって、ユーザは、コンテンツの再生を続けることができる。
【０１４８】
(6a)一方、携帯端末装置６に権利データが記録されていない場合には、携帯端末装置６は、コンテンツサーバ装置８に接続する。これにより、ユーザは、コンテンツの権利データの購入を行うことができる。なお、コンテンツサーバ装置８は、所定時間が経過すると、コンテンツを暗号化して配信する。したがって、権利データがない場合には、認証サーバ装置４に対しては認証要求が行われないので、再生装置２は暗号を解くことができず、ユーザはコンテンツを実質的に再生できなくなる。
【０１４９】
(E)上記実施形態では、認証用データの改竄については配慮をしていない。しかし、ＰＣ２は、認証用データに基づいて認証用表示データを生成する際に、その表示イメージに関してハッシュ値を算出し、これを含めた表示イメージに対応する認証用表示データを生成するようにしてもよい。この場合、携帯電話６の携帯端末プログラム１６６ｂは、撮像した認証用表示が改竄されていないか否かを、ハッシュ値によって判断することができる。また、認証要求の際に、携帯電話６が認証用データをそのまま認証サーバ装置４に送信するようにすれば、認証サーバ装置４においても、認証用データの改竄の有無を判断することができる。これにより、認証サーバ装置４や携帯電話６において、認証用データの改竄が見いだされると、認証処理を中止することができる。
【０１５０】
(F)上記実施形態では、認証用データに基づいて生成される認証用表示データとしてＱＲコードを用いているが、２次元バーコードなどの他の表示コードを用いてもよい。また、携帯端末装置６が撮像してデータ化できればよいので、通常の文字や数字などをそのまま画面に表示するようにしてもよい。
【０１５１】
(G)また、上記実施形態では、認証用データを認証サーバ装置４から再生装置２に送信し、再生装置２において、認証用データに基づいて認証用表示データを生成し、認証用表示を行うようにしている。しかし、認証用表示データ自体を認証サーバ装置４から再生装置２に送信するようにしてもよい。
【０１５２】
(H)また、認証用データに基づいて認証用音声データを生成し、再生装置２において音声として出力するようにしてもよい。再生装置２は、コンテンツ出力のための音声出力部（スピーカ１２２など）から、認証用のデータを音声化（人間には聞こえない周波数帯でもよい）して出力する。携帯端末装置６は、これを音電気変換部（マイク１６８など）によって捕捉し、認証用のデータを再現する。コンテンツが音声だけであり、再生装置２に表示部が備わっていない場合に有効である。
【０１５３】
(I)なお、上記実施形態では、携帯電話６にてコンテンツを選択してから認証用表示を撮像するようにしているが、認証用表示を撮像してからコンテンツを選択するようにしてもよい。ただし、この場合には、ユーザがコンテンツを選択する処理に要する時間も考慮して、認証用表示の有効期限を設定しておくことが好ましい。
【０１５４】
(J)上記実施形態では、コンテンツサーバ装置と認証サーバ装置を別々に構成したが、一つのサーバとして構成してもよい。
【図面の簡単な説明】
【０１５５】
【図１】この発明の一実施形態によるコンテンツ管理システムの概略図である。
【図２】この発明の一実施形態によるコンテンツ管理システムの全体構成図である。
【図３】この発明の一実施形態によるコンテンツ管理システムの機器構成例である。
【図４】ＰＣ２のハードウエア構成である。
【図５】認証サーバ装置４のハードウエア構成である。
【図６】携帯電話６のハードウエア構成である。
【図７】コンテンツサーバ装置８のハードウエア構成である。
【図８】権利購入処理における各プログラムの処理内容を示すフローチャートである。
【図９】購入画面の例である。
【図１０ａ】権利データの内容を示す図である。
【図１０ｂ】権利認証サーバ装置４に記録された権利データを示す図である。
【図１１ａ】再生処理における各プログラムの処理内容を示すフローチャートである。
【図１１ｂ】再生処理における各プログラムの処理内容を示すフローチャートである。
【図１２】ＱＲコードの切り換えと有効期限のタイミングを示す図である。
【図１３】携帯電話６に記録された権利データの例である。
【図１４】認証要求の例を示す図である。
【図１５】認証サーバ４に記録されている対応表を示す図である。
【図１６】他の実施形態によるフローチャートである。
【図１７】認証用データの例である。
【図１８】他の実施形態によるコンテンツ管理システムを示す図である。
【符号の説明】
【０１５６】
２・・・再生装置
４・・・認証サーバ
６・・・携帯端末装置
２２・・・識別符号送信処理手段
２３・・・認証用表示処理手段
２４・・・表示部
２５・・・再生処理手段
４２・・・認証用データ生成処理手段
４３・・・認証用データ送信処理手段
４４・・・再生可能化データ送信処理手段
４５・・・認証処理手段
６２・・・撮像部
６３・・・認証要求送信処理手段
６４・・・記録部
【図１】
2009259118.tif 000003
【図２】
2009259118.tif 000004
【図３】
2009259118.tif 000005
【図４】
2009259118.tif 000006
【図５】
2009259118.tif 000007
【図６】
2009259118.tif 000008
【図７】
2009259118.tif 000009
【図８】
2009259118.tif 000010
【図９】
2009259118.tif 000011
【図１０ａ】
2009259118.tif 000012
【図１０ｂ】
2009259118.tif 000013
【図１１ａ】
2009259118.tif 000014
【図１１ｂ】
2009259118.tif 000015
【図１２】
2009259118.tif 000016
【図１３】
2009259118.tif 000017
【図１４】
2009259118.tif 000018
【図１５】
2009259118.tif 000019
【図１６】
2009259118.tif 000020
【図１７】
2009259118.tif 000021
【図１８】
2009259118.tif 000022